(57)【特許請求の範囲】
【請求項１】
可撓ロックアームを有する一方のコネクタハウジングと、
前記可撓ロックアームのロック部に係合する係合部を有して前記一方のコネクタハウジングに嵌合させた際に前記ロック部と前記係合部との係合によって前記一方のコネクタハウジングに連結される他方のコネクタハウジングと、
前記一方のコネクタハウジングに該コネクタハウジング相互の嵌合方向に沿ってスライド可能に装着され、スライド移動の可否によって前記コネクタハウジング相互の中途嵌合状態を検知する嵌合検知部材とを備えた半嵌合防止コネクタであって、
前記嵌合検知部材は、前記コネクタハウジング相互の嵌合方向に沿ってスライド可能に前記一方のコネクタハウジングの外周に嵌合する略筒状の検知部材本体と、前記ロック部との係合によって前記検知部材本体を初期位置に規制する位置決め係止部とを備え、
前記コネクタハウジング相互の嵌合前には、前記ロック部と前記位置決め係止部との係合によって前記初期位置に位置規制されると共に、
前記コネクタハウジング相互の完全嵌合時には、前記初期位置から前記一方のコネクタハウジングの後方にスライド移動して、前記可撓ロックアームの前記ロック部後方に設けられた検知部材係止部と前記位置決め係止部との係合によって適正嵌合検知位置に位置規制されることを特徴とする半嵌合防止コネクタ。
【請求項２】
前記嵌合検知部材は、初期位置では前記一方のコネクタハウジングの後端から突出しないように、前記嵌合検知部材の長さが設定されていることを特徴とする請求項１に記載の半嵌合防止コネクタ。
【請求項３】
前記位置決め係止部は、前記コネクタハウジング相互の完全嵌合時に、前記係合部の前記ロック部への係合に伴って前記ロック部から押し出されて、前記ロック部との係合状態が解除されることを特徴とする請求項１に記載の半嵌合防止コネクタ。
【発明の詳細な説明】
【０００１】
【発明の属する技術分野】
本発明は、一組の雌雄コネクタハウジング相互を嵌合させた際に、一方のコネクタハウジングに装着された嵌合検知部材の適正嵌合検知位置へのスライド移動の可否によって、雌雄コネクタハウジング相互の中途嵌合状態を検知する半嵌合防止コネクタに関するものである。
【０００２】
【従来の技術】
従来の半嵌合防止コネクタは、図７及び図８に示したように雄コネクタハウジング１と雌コネクタハウジング９との一組の雌雄コネクタハウジング１，９相互を嵌合させた際に、一方の雄コネクタハウジング１に装着された嵌合検知部材２の適正嵌合検知位置へのスライド移動の可否によって、雌雄コネクタハウジング１，９相互の中途嵌合状態を検知するものである。（特開平８−３１５１７号公報参照）
【０００３】
図８に示したように雄コネクタハウジング１は、上壁３の前端側から立ち上がってハウジング後方に延びる可撓ロックアーム４を有しており、この可撓ロックアーム４の中間部上面にはロック部６が突設されている。
また、雄コネクタハウジング１の後端寄りに位置する可撓ロックアーム４の自由端には、雌雄コネクタハウジング相互の嵌合時に可撓ロックアーム４を可撓変位させる操作部である押圧板部７が設けられている。
【０００４】
また、前記雌コネクタハウジング９は、雌雄コネクタハウジング１，９相互の嵌合の際に前記可撓ロックアーム４の上に被さる上壁の内面側前端に係合部１０を有している。
図９及び図１０に示したように、前記係合部１０は、雌雄コネクタハウジング１，９相互の嵌合時の嵌合長が適正値に達する時に、前記可撓ロックアーム４の可撓変位を介して前記ロック部６を乗り越える。そして、雌雄コネクタハウジング１，９相互の嵌合長が適正値に達した時に、前記ロック部６の後方の凹部６ａに上方から係合することでロック部６を係止して、雌雄コネクタハウジング相互の嵌合状態をロックする。
【０００５】
図７及び図８に示したように、前記嵌合検知部材２は、前記雌雄コネクタハウジング相互の嵌合方向に沿ってスライド可能に前記押圧板部７に係合する操作板部１６と、この操作板部１６の後端部から雌雄コネクタハウジングの前端側に向かって延出した弾性片１７と、この弾性片１７の先端に突設された位置決め係止部２０とを一体形成したものである。なお、前記弾性片１７は、前記可撓ロックアーム４を構成する一組の側板部５，５間の空間を挿通可能な棒状を呈している。
【０００６】
また、図７に示すように、前記位置決め係止部２０は、前記弾性片１７による付勢力で前記ロック部６の前後の凹部６ａ，６ｂに下側から嵌入可能な突起で、雌雄コネクタハウジング相互の嵌合前は、ロック部６の後方の凹部６ａに嵌合した状態で、ロック部６の後縁に係止されて前方への移動が規制される。
【０００７】
前記位置決め係止部２０がロック部６の後縁に当接して前方への変位が規制された位置が、雄コネクタハウジング１に装着された嵌合検知部材２の初期位置である。
また、前記押圧板部７と操作板部１６との間のスライド可能な係合は、前記初期位置よりも前方に設定された適正嵌合検知位置と前記初期位置との間を嵌合検知部材２がスライド可能となるようにスライド可能な範囲が設定されている。
【０００８】
図１０に示したように、一組の雌雄コネクタハウジング１，９相互を嵌合させた際、雌雄コネクタハウジング１，９相互の嵌合長が適正値に達して、ロック部６の後方の凹部６ａに雌コネクタハウジング９の係合部１０が嵌入する。
これにより、前記凹部６ａに嵌合していた嵌合検知部材２の位置決め係止部２０が、係合部１０によって下方に押し出されて、位置決め係止部２０に対する初期位置への位置規制が解除される。その結果、嵌合検知部材２は、図中に矢印Ａで示したように、操作板部１６を前方に押すとスライド可能となる。
【０００９】
図１１に示したように、前記位置決め係止部２０は、初期位置への位置規制が解除された状態で嵌合検知部材２を前方に移動操作すると、係合部１０及びロック部６の下面を摺接して前方に進む。そして、前記位置決め係止部２０は、前記ロック部６の前縁を越えたときに、弾性片１７の付勢力で上方に変位してロック部６の前方の凹部６ｂに嵌入する。
これにより、前記凹部６ｂに嵌入した位置決め係止部２０は、その後端面がロック部６の前端面によって係止され、後方へのスライド移動が規制されたロック状態となる。
【００１０】
ところが、前記雌雄コネクタハウジング１，９相互を嵌合させた際に、前記雌雄コネクタハウジング１，９相互の嵌合長が適正値に到達せずに、中途嵌合状態の場合には、雌コネクタハウジング９の係合部１０がロック部６の後方の凹部６ａに嵌入しない。
そのため、前記位置決め係止部２０が、前記係合部１０によって凹部６ａから押し出されることがなく、前記ロック部６による嵌合検知部材２の初期位置への位置規制が解除されない。
従って、雌雄コネクタハウジング相互の中途嵌合時には、嵌合検知部材２の操作板部１６を前方に押しても、前記嵌合検知部材２が前方に移動することはなく、この嵌合検知部材２の前方への移動の可否によって中途嵌合状態を検知することができる。
【００１１】
【発明が解決しようとする課題】
ところで、前述した一組の雌雄コネクタハウジング１，９のハウジング嵌合操作として、各々コネクタハウジング１，９を直接手指で持ってから双方のコネクタハウジング１，９を嵌合させる。
次に、双方のコネクタハウジング１，９の嵌合状態を検知するための検知部材移動操作として、一方の雄コネクタハウジング１を持っていた手指の位置を嵌合検知部材２の操作板部１６を押す位置に変更して、嵌合検知部材２を初期位置から適正嵌合検知位置に移動させる。
更に、嵌合検知部材２が正常に適正嵌合検知位置に移動できても、ロック部６の破損等で雌雄コネクタハウジング相互のロック状態が不完全でないかどうかを確認するハウジング引張確認操作として、左右の手指で双方のコネクタハウジングを持って、互いに離脱方向に引っ張って雌雄コネクタハウジング相互のロック状態を確認する。
従って、上記３つの独立した操作を順に実施しなければならず、操作数が多いという問題があった。
また、次の操作に移る際には、その都度、雄コネクタハウジング１側では、雄コネクタハウジング１の側面を把持していた手指の位置を嵌合検知部材２の操作板部１６上に変更したり、或いは嵌合検知部材２に添えていた手指の位置を雄コネクタハウジング１の側面に変更する必要があり、手指の位置の変更のために作業効率が低下するという問題もあった。
【００１２】
本発明は、上記問題に鑑みて成されたものであり、コネクタハウジング相互を接続する際、検知部材移動操作とハウジング引張確認操作とを一つの操作で同時に完了させることができて、コネクタハウジング相互の接続時の操作数を低減させることができる半嵌合防止コネクタを提供することを目的とする。
また、次の操作に移る際に、ハウジングを持つ手指の位置の変更も必要なく、効率良く次の操作を実施することができ、コネクタハウジング相互を接続する際の作業効率を向上させることができる半嵌合防止コネクタを提供することを目的とする。
【００１３】
【課題を解決するための手段】
上記目的を達成するための本発明の請求項１に係る半嵌合防止コネクタは、可撓ロックアームを有する一方のコネクタハウジングと、前記可撓ロックアームのロック部に係合する係合部を有して前記一方のコネクタハウジングに嵌合させた際に前記ロック部と前記係合部との係合によって前記一方のコネクタハウジングに連結される他方のコネクタハウジングと、前記一方のコネクタハウジングに該コネクタハウジング相互の嵌合方向に沿ってスライド可能に装着され、スライド移動の可否によって前記コネクタハウジング相互の中途嵌合状態を検知する嵌合検知部材とを備えた半嵌合防止コネクタであって、
前記嵌合検知部材は、前記コネクタハウジング相互の嵌合方向に沿ってスライド可能に前記一方のコネクタハウジングの外周に嵌合する略筒状の検知部材本体と、前記ロック部との係合によって前記検知部材本体を初期位置に規制する位置決め係止部とを備え、前記コネクタハウジング相互の嵌合前には、前記ロック部と前記位置決め係止部との係合によって前記初期位置に位置規制されると共に、前記コネクタハウジング相互の完全嵌合時には、前記初期位置から前記一方のコネクタハウジングの後方にスライド移動して、前記可撓ロックアームの前記ロック部後方に設けられた検知部材係止部と前記位置決め係止部との係合によって適正嵌合検知位置に位置規制されることを特徴とする。
【００１４】
上記構成の半嵌合防止コネクタによれば、一方のコネクタハウジングに装着された嵌合検知部材は、他方のコネクタハウジングへの嵌合前には、ロック部との係止により一方のコネクタハウジングの外周を略覆うように初期位置に位置規制されている。そのため、一組の雌雄コネクタハウジング相互を嵌合させるハウジング嵌合操作の際には、嵌合検知部材を手指で掴んだまま嵌合操作を行うことができる。
【００１５】
また、前記ハウジング嵌合操作の終了後には、雌雄コネクタハウジング相互の嵌合状態の検知のために嵌合検知部材を初期位置から適正嵌合検知位置に移動させる検知部材移動操作を行う。
この検知部材移動操作は、嵌合検知部材をハウジング後方に移動させる操作で、嵌合検知部材が適正嵌合検知位置に到達すると、嵌合検知部材の位置決め係止部が一方のコネクタハウジング上の検知部材係止部に係合して、嵌合検知部材のスライド移動が規制される。この時、ハウジング嵌合操作の際に嵌合検知部材を掴んでいる手指の位置を変更することなく、嵌合検知部材をハウジング後方に引くだけで移動させることができる。
そして、引き続いて嵌合検知部材をハウジング後方に引っ張れば、ハウジング相互を離脱方向に引っ張るハウジング引張確認操作を行うことができる。即ち、前記ハウジング引張確認操作は、嵌合検知部材をハウジング後方に移動させる操作で、検知部材移動操作時と付勢方向が同一のため、検知部材移動操作を行う引っ張り操作で、一挙にハウジング引張確認操作まで完了させることができる。
【００１６】
また、本発明の請求項２に係る半嵌合防止コネクタは、上記半嵌合防止コネクタであって、好ましくは前記嵌合検知部材は、初期位置では前記一方のコネクタハウジングの後端から突出しないように、前記嵌合検知部材の長さが設定されていることを特徴とする。
前記構成の半嵌合防止コネクタによれば、嵌合検知部材を装着した一方のコネクタハウジングの後方から、自動端子挿入機によって接続端子の自動挿入を行うことができる。
【００１７】
また、本発明の請求項３に係る半嵌合防止コネクタは、上記半嵌合防止コネクタであって、好ましくは前記位置決め係止部は、前記コネクタハウジング相互の完全嵌合時に、前記係合部の前記ロック部への係合に伴って前記ロック部から押し出されて、前記ロック部との係合状態が解除されることを特徴とする。
前記構成の半嵌合防止コネクタによれば、嵌合検知部材をハウジング後方に移動させると、嵌合検知部材が適正嵌合検知位置に到達して、位置決め係止部が検知部材係止部に係合する。これにより、嵌合検知部材のハウジング後方へのスライド移動が規制され、引き続いて嵌合検知部材をハウジング後方側に引っ張ることで、コネクタハウジング相互を離脱方向に引っ張るハウジング引張確認操作が行われる。
従って、コネクタハウジング相互を接続する際、検知部材移動操作とハウジング引張確認操作とを一つの操作でスムースに行うことができ、コネクタハウジング相互の接続時の操作数を低減させることができる。
【００１８】
【発明の実施の形態】
以下、本発明に係る半嵌合防止コネクタの好適な一実施形態を図１乃至図６に基づいて詳細に説明する。図１は本発明の半嵌合防止コネクタの一実施形態を示す分解斜視図、図２は図１における嵌合初期状態を示す斜視図、図３は図１における嵌合完了状態を示す斜視図、図４は図３における縦断面を有する斜視図、図５は図１における嵌合検知部材を適正嵌合検知位置にスライド移動させた状態を示す斜視図、図６は図５における縦断面を有する斜視図である。
【００１９】
図１に示すように本実施形態の半嵌合防止コネクタ３１は、可撓ロックアーム４１を有する一方のコネクタハウジングである雌コネクタ４０と、前記可撓ロックアーム４１上に設けられたロック部である係止孔４２に係合される係合部としての係合突起５１を有する他方のコネクタハウジングである雄コネクタ５０と、前記雌コネクタ４０に嵌合方向に沿ってスライド可能に装着される略筒状の嵌合検知部材６０とから構成されている。
即ち、前記嵌合検知部材６０は、コネクタ嵌合前には係止孔４２によって初期位置に位置規制され、且つコネクタ嵌合完了時には係止孔４２による位置規制が解除され、前記雌コネクタ４０後方の適正嵌合検知位置にスライド移動して検知部材係止部４９によって位置規制される。従って、嵌合検知部材６０の適正嵌合検知位置へのスライド移動の可否によって雌雄コネクタ４０，５０相互の中途嵌合状態を検知することができる。
【００２０】
本実施形態の雌コネクタ４０は、図示していない雌形接続端子を収容保持する端子収容室４０ａが形成されたハウジング本体４０ｂと、該ハウジング本体の上面に形成された前記可撓ロックアーム４１と、嵌合検知部材６０をスライド可能に支持するためのガイド部４３とが一体成形された構造である。
【００２１】
前記可撓ロックアーム４１は、ハウジング本体４０ｂ上面の略中央に立設された支柱部４４の上端に、ハウジング本体４０ｂの前後方向に沿って延びるアーム部４５を連設したもので、該アーム部４５が支柱部４４を支点に上下方向にシーソー状に変位可能な構成である。
【００２２】
また、前記可撓ロックアーム４１の係止孔４２は、アーム部４５の前端寄りの位置に設けられている。また、アーム部４５の後端寄りの上面は、アーム部４５の前端を上方に変位させるための解除操作部４５ａが設けられている。
従って、雌雄コネクタ４０，５０が嵌合して、雄コネクタ５０の係合突起５１が係止孔４２に係合している状態で、解除操作部４５ａを押下してアーム部４５の前端を上方に変位させると、係止孔４２と係合突起５１との係合状態を解除することができる。
【００２３】
また、前記可撓ロックアーム４１上の係止孔４２の後方には、前記嵌合検知部材６０が初期位置から適正嵌合検知位置にスライド移動した時に、後述する係止突起６３との係合によって嵌合検知部材６０のスライド移動を規制する前記検知部材係止部４９を備えている。
前記検知部材係止部４９は、上記係止孔４２と同様にアーム部４５を貫通した係止孔であって、嵌合検知部材６０が初期位置から適正嵌合検知位置までスライド移動した時に、前記係止突起６３が嵌入することで、嵌合検知部材６０を適正嵌合検知位置に固定する。
【００２４】
また、前記ガイド部４３は、可撓ロックアーム４１を挟むように、ハウジング本体４０ｂ上面の両側に形成されている。この各々ガイド部４３は、外側面部にハウジング本体４０ｂの前後方向に沿って延在するガイド溝４３ａを有している。また、前記ガイド部４３の上面には、ガイド突起４３ｂが形成されている。
【００２５】
次に、本実施形態の前記嵌合検知部材６０は、雌雄コネクタ４０，５０相互の嵌合方向に沿ってスライド可能に雌コネクタ４０の外周に嵌合する略筒状の検知部材本体６１と、前記係止孔４２との係合によって前記検知部材本体６１を前記初期位置に規制する係止突起６３とを備えている。
また、前記嵌合検知部材６０は、雌コネクタ４０上の初期位置にある時、嵌合検知部材６０の後端が雌コネクタ４０の後端よりも後方に突出しないように、嵌合検知部材６０の長さ寸法が設定されている。
【００２６】
前記検知部材本体６１は、前記ガイド部４３のガイド溝４３ａに摺動自在に嵌合する突条６１ａが内側面に形成されると共に、前記ガイド突起４３ｂが嵌入するスリット６１ｂが上壁面に形成されている。また、ガイド溝４３ａと突条６１ａとの嵌合、及びガイド突起４３ｂとスリット６１ｂとの嵌合によって、ハウジングの嵌合方向に沿ってスライド自在に雌コネクタ４０に装着される。
また、前記検知部材本体６１の外側面には、検知部材本体６１をスライド移動させる際に、手指で掴む滑り止め部６１ｃが設けられている。
【００２７】
前記係止突起６３は、検知部材本体６１の上壁の一部をなす弾性片である係止アーム６４の先端下部に突設されており、上方に弾性変位可能である。この係止突起６３は、その前端面を係止孔４２の前端面に当接した状態で該係止孔４２内に上方から嵌入され、嵌合検知部材６０を初期位置に係合する。
【００２８】
また、前記スリット６１ｂの長さは、嵌合検知部材６０の初期位置から適正嵌合検知位置までのスライド長に対応して設定されており、嵌合検知部材６０が初期位置に位置している時には、ガイド突起４３ｂの後端面がスリット６１ｂの後端縁に当接して、嵌合検知部材６０のハウジング前方側への移動を規制する。
また、嵌合検知部材６０が適正嵌合検知位置に位置している時には、ガイド突起４３ｂの前端面がスリット６１ｂの前端縁に当接して、嵌合検知部材６０のハウジング後方側への移動を規制する。
【００２９】
次に、本実施形態の雄コネクタ５０は、雄形接続端子を収容する端子収容室５０ａが形成されたハウジング本体５０ｂの上面に、前記係止孔４２に係合する前記係合突起５１と、前記可撓ロックアーム４１と前記ガイド部４３との間の隙間４７に挿通する突条部５３とを備えている。
前記端子収容室５０ａは、雌コネクタ４０の端子収容室４０ａに収容された前記雌形接続端子と接続する図示していない雄形接続端子を収容保持するもので、端子収容室４０ａと同じ配列ピッチに形成されている。
【００３０】
また、前記係合突起５１は、ハウジング本体５０ｂ上面の前端寄りの位置に突設されており、雌雄コネクタ４０，５０相互を嵌合させた際に、可撓ロックアーム４１のアーム部４５下面に摺接して進み、係止孔４２内に嵌入する。
また、前記突条部５３は、雌コネクタ４０側の隙間４７に挿通することで、雌雄コネクタ４０，５０相互の嵌合方向や嵌合位置を規制して、雌雄コネクタ４０，５０相互の嵌合動作を円滑にする。
【００３１】
上記構成の半嵌合防止コネクタ３１によれば、図２に示すように、雌コネクタ４０に装着された嵌合検知部材６０は、雌雄コネクタ４０，５０相互の嵌合前には、雌コネクタ４０の係止孔４２による係止で初期位置に雌コネクタ４０を覆うように位置規制されている。
そのため、雌雄コネクタ４０，５０相互を嵌合させるハウジング嵌合操作の際には、手指で雌コネクタ４０自体を保持することなく、嵌合検知部材６０自体と相手の雄コネクタ５０を掴んで完全嵌合までの嵌合操作を容易に行うことができる。
【００３２】
次に、雌雄コネクタ４０，５０相互の嵌合操作時は、図３及び図４に示すように、ハウジング相互の嵌合長が規定値に達して、雄コネクタ５０の係合突起５１が係止孔４２内に下方から嵌入する。この係合突起５１と係止孔４２との係合によって、雌雄コネクタ４０，５０相互の完全嵌合状態がロックされる。
【００３３】
この時、図４中矢印Ａで示すように、係止孔４２に係合していた嵌合検知部材６０の係止突起６３が係合突起５１によって上方に押し出されて、嵌合検知部材６０の初期位置への位置規制が解除される。従って、嵌合検知部材６０は、雌コネクタ４０の後方に移動可能になる。
【００３４】
そして、図５及び図６に示すように、ハウジング嵌合操作の完了時には、雌雄コネクタ４０，５０相互の嵌合状態の検知のために嵌合検知部材６０を初期位置から適正嵌合検知位置に移動させる検知部材移動操作を行う。即ち、ハウジング嵌合操作の際に嵌合検知部材６０を掴んでいる手指を持ち替えることなく、嵌合検知部材６０をハウジング後方に引くことで、雌雄コネクタ４０，５０相互の完全嵌合状態を検知するための検知部材移動操作を行うことができる。
【００３５】
前記検知部材移動操作は、嵌合検知部材６０をハウジング後方に移動させる操作で、嵌合検知部材６０が適正嵌合検知位置に到達すれば、嵌合検知部材６０の係止突起６３が雌コネクタ４０上の検知部材係止部４９に係合する。これにより、嵌合検知部材６０のハウジング後方へのスライド移動が規制され、引き続いて嵌合検知部材６０をハウジング後方側に引っ張れば、その引張力は嵌合検知部材６０を介して雌コネクタ４０に伝達され、ハウジング相互を離脱方向に引っ張るハウジング引張確認操作が行われる。
【００３６】
即ち、前記嵌合検知部材６０が適正嵌合検知位置に到達後、引き続き同一方向に嵌合検知部材６０を引っ張ることで、検知部材移動操作からハウジング引張確認操作までを一挙に完了させることができる。
従って、雌雄コネクタ４０，５０相互を接続する際、検知部材移動操作とハウジング引張確認操作とを一つの操作でスムースに行うことができ、雌雄コネクタ４０，５０相互の接続時の操作数を低減させることができる。そして、次の操作に移る際に、雄コネクタ５０及び嵌合検知部材６０の掴む手指の位置を変更することなく、次の操作に移行することができるので、雌雄コネクタ４０，５０相互を接続する接続作業と共に一連の作業全般の作業性の向上を図ることができる。
【００３７】
また、本実施形態の半嵌合防止コネクタ３１は、嵌合検知部材６０が雌コネクタ４０上の初期位置にある時、嵌合検知部材６０の後端が雌コネクタ４０の後端よりも後方に突出するようなことがないので、雌コネクタ４０の後方から自動端子挿入機によって接続端子の自動挿入を行うことができる。
【００３８】
上述したように雌雄コネクタ４０，５０相互をハウジング嵌合操作によって嵌合接続させた後、検知部材移動操作とハウジング引張確認操作とを嵌合検知部材６０を掴んだまま、一つの操作でスムースに完了させることができ、雌雄コネクタ相互の嵌合接続時の操作数を低減させることができる。
【００３９】
また、前記嵌合検知部材６０が初期位置のときは、該嵌合検知部材６０の後端が雌コネクタ４０の後端から突出することはなく、適正嵌合検知位置に位置するときには、雌コネクタ４０の後端に略一致するように設定されている。従って、保守点検等の際に嵌合検知部材６０後端が、雌コネクタ４０後端に略一致しているか否かを目視確認することで、初期位置にあるか又は適正嵌合検知位置にあるかを容易に検知することができ、保守点検時等における嵌合検知部材の位置確認作業を容易にすることができる。
【００４０】
また、前記嵌合検知部材６０が初期位置と適正嵌合検知位置に位置するときとで、外観に明確な色彩変化が生じるように、嵌合検知部材６０の外表面と嵌合検知部材６０から露出する雌コネクタ４０の外表面とに異なる彩色を施している。従って、保守点検等の際に嵌合検知部材が初期位置にあるか又は適正嵌合検知位置にあるかを、雌コネクタ４０と嵌合検知部材６０とで形成する彩色パターンを目視することでも容易に確認することができ、保守点検時等における嵌合検知部材６０の位置確認作業を容易にすることができる。
【００４１】
【発明の効果】
以上説明したように本発明の請求項１記載の半嵌合防止コネクタによれば、嵌合検知部材は、コネクタハウジング相互の嵌合方向に沿ってスライド可能に一方のコネクタハウジングの外周に嵌合する略筒状の検知部材本体と、ロック部との係合によって検知部材本体を初期位置に規制する位置決め係止部とを備え、前記コネクタハウジング相互の嵌合前には、前記ロック部と前記位置決め係止部との係合によって前記初期位置に位置規制されると共に、前記コネクタハウジング相互の完全嵌合時には、前記初期位置から前記一方のコネクタハウジングの後方にスライド移動して、可撓ロックアームの前記ロック部後方に設けられた検知部材係止部と前記位置決め係止部との係合によって適正嵌合検知位置に位置規制される。
【００４２】
上記構成の半嵌合防止コネクタによれば、一方のコネクタハウジングに装着された嵌合検知部材は、他方のコネクタハウジングへの嵌合前には、ロック部との係止により一方のコネクタハウジングの外周を略覆うように初期位置に位置規制されている。そのため、一組の雌雄コネクタハウジング相互を嵌合させるハウジング嵌合操作の際には、嵌合検知部材を手指で掴んだまま嵌合操作を行うことができる。従って、雌雄コネクタハウジング相互の嵌合作業を効率良く行うことができる。
【００４３】
また、前記ハウジング嵌合操作の終了後に行う検知部材移動操作は、嵌合検知部材をハウジング後方に移動させ、嵌合検知部材が適正嵌合検知位置に到達して嵌合検知部材のスライド移動が規制されことで、雌雄コネクタハウジング相互の完全嵌合状態を容易に検知することができる。
そして、引き続いて嵌合検知部材をハウジング後方に引っ張れば、ハウジング相互を離脱方向に引っ張るハウジング引張確認操作を行うことができ、検知部材移動操作時と付勢方向が同一のため、検知部材移動操作を行う引っ張り操作で、一挙にハウジング引張確認操作まで完了させることができる。従って、雌雄コネクタハウジング相互の嵌合状態の検知作業を効率良く行うことができる。
【００４４】
また、本発明の請求項２に係る半嵌合防止コネクタは、上記半嵌合防止コネクタであって、好ましくは前記嵌合検知部材は、初期位置では前記一方のコネクタハウジングの後端から突出しないように、前記嵌合検知部材の長さが設定されている。
前記構成の半嵌合防止コネクタによれば、嵌合検知部材を装着した一方のコネクタハウジングの後方から、自動端子挿入機によって接続端子の自動挿入を行うことができる。従って、一方のコネクタハウジングへの接続端子の挿入作業を効率良く行うことができ、生産性の向上を図ることができる。
【００４５】
更に、本発明の請求項３に係る半嵌合防止コネクタは、上記半嵌合防止コネクタであって、好ましくは前記位置決め係止部は、前記コネクタハウジング相互の完全嵌合時に、前記係合部の前記ロック部への係合に伴って前記ロック部から押し出されて、前記ロック部との係合状態が解除される。
前記構成の半嵌合防止コネクタによれば、嵌合検知部材をハウジング後方に移動させることで、位置決め係止部が検知部材係止部に係合すると共に、引き続いて嵌合検知部材をハウジング後方側に引っ張ることでハウジング引張確認操作が行われる。従って、コネクタハウジング相互を接続する際、検知部材移動操作とハウジング引張確認操作とを一つの操作でスムースに行うことができ、コネクタハウジング相互の接続時の操作数を低減させることができる。
【図面の簡単な説明】
【図１】本発明の半嵌合防止コネクタの一実施形態を示す分解斜視図である。
【図２】図１における嵌合初期状態を示す斜視図である。
【図３】図１における嵌合完了状態を示す斜視図である。
【図４】図３における縦断面を有する斜視図である。
【図５】図１における嵌合検知部材を適正嵌合検知位置にスライド移動させた状態を示す斜視図である。
【図６】図５における縦断面を有する斜視図である。
【図７】従来の半嵌合防止コネクタの嵌合前の状態を示す縦断面図である。
【図８】図７における雄コネクタハウジングと嵌合検知部材の分解斜視図である。
【図９】図７における嵌合途中の状態を示す要部の部分縦断面図である。
【図１０】図７における一方のコネクタハウジングのロック部に他方のコネクタハウジングの係合部が係合した状態を示す部分縦断面図である。
【図１１】図７におけるコネクタハウジング相互の嵌合が完了して、嵌合検知部材の適正嵌合検知位置へのスライド移動が完了した状態を示す部分縦断面図である。
【符号の説明】
３１  半嵌合防止コネクタ
４０  雌コネクタ（一方のコネクタハウジング）
４１  可撓ロックアーム
４２  係止孔（ロック部）
４３  ガイド部
４９  検知部材係止部
５０  雄コネクタ（他方のコネクタハウジング）
５１  係合突起（係合部）
６０  嵌合検知部材
６１  検知部材本体
６３  係止突起（位置決め係止部）
６４  係止アーム（弾性片）
【図１】
0003813836.tif 000002
【図２】
0003813836.tif 000003
【図３】
0003813836.tif 000004
【図４】
0003813836.tif 000005
【図５】
0003813836.tif 000006
【図６】
0003813836.tif 000007
【図７】
0003813836.tif 000008
【図８】
0003813836.tif 000009
【図９】
0003813836.tif 000010
【図１０】
0003813836.tif 000011
【図１１】
0003813836.tif 000012